(57)【要約】      （修正有）【課題】エレベータ施工業者側において親綱を支持するための親綱支持治具を簡単に建物に取付けることができ、エレベータ設置工事終了後には簡単に取外してエレベータかごの昇降の邪魔にならない。【解決手段】エレベータ乗り場１に設けたエレベータ昇降路に連通する乗り場開口部にエレベータ乗り場１側から架け渡される棒材４と、該棒材４にエレベータ昇降路側から突出量変更可能に設けられたねじ体５と、ねじ体５から垂設された挟持部６とを有する親綱支持治具７である。ねじ体５の突出量を減じて棒材４と挟持部６とで乗り場開口部を挟持することで親綱支持治具７を乗り場開口部に固定する。親綱支持治具７にエレベータ昇降路２内に垂下される作業者の安全索を取付ける親綱８を支持する。【選択図】図３
2007169011.tif 000002
【特許請求の範囲】
【請求項１】
エレベータ乗り場に設けたエレベータ昇降路に連通する乗り場開口部にエレベータ乗り場側から架け渡される棒材と、該棒材にエレベータ昇降路側から突出量変更可能に設けられたねじ体と、ねじ体から垂設された挟持部とを有する親綱支持治具であって、ねじ体の突出量を減じて棒材と挟持部とで乗り場開口部を挟持することで親綱支持治具を乗り場開口部に固定し、親綱支持治具にエレベータ昇降路内に垂下される作業者の安全索を取付ける親綱を支持して成ることを特徴とするエレベータ据え付け工事における親綱の保持構造。
【発明の詳細な説明】
【技術分野】
【０００１】
本発明は、エレベータ据え付け工事の際にエレベータ昇降路内において作業をする作業者の安全を確保するための技術で、より詳しくはエレベータ据え付け工事における親綱の保持構造に関するものである。
【背景技術】
【０００２】
ロープ式など、エレベータ昇降路の頂部に建物梁などが設けられているものにおいては、エレベータ据え付け工事の際に建物梁からエレベータ昇降路内にロープを垂らし、これを安全用親綱として用いて、作業者が適宜安全索を親綱に固定し、作業の安全を図っている。
【０００３】
これに対し、エレベータ昇降路の頂部にこのような建物梁がないエレベータ装置（例えば直接油圧式エレベータでは、エレベータ昇降路の底部に油圧ジャッキを据え、これによりエレベータかごを直接昇降するので、エレベータ昇降路の頂部に親綱を係合させるような建物梁はない）では、親綱を固定することが簡単ではなく、また、エレベータ昇降路内に突出するような固定部はエレベータかごの昇降の妨げになる。
【０００４】
そこで、エレベータ昇降路内の梁、鉄骨などに親綱を掛けたり、作業員に取付ける安全索を掛けるなどおこなっているが、作業員の掛け忘れなどが発生するおそれがあった。
【０００５】
また、エレベータ昇降路の天井にあらかじめ固定金具を埋め込み、この天井に生め込んだ固定金具に安全綱を取付けたフックを引掛けるようにしたものが特許文献１により知られている。
【０００６】
ところで、一般にエレベータ装置を備えた建物においては、工事を分離するため、建物側の施工時にはエレベータ昇降路となる空間を形成するのみで、このため、エレベータ昇降路となる空間内に設置するものは、建物側の施工の際には用意されず、エレベータ施工業者側で用意する。若しくは、エレベータ施工業者側から建物施工業者側に要請することになるが、建物施工業者側に要請した場合、施工忘れが生じたりするおそれがあり、また、エレベータ施工業者側で用意する場合、わざわざ建物に親綱を支持するための部材を常設するために固定するには手間がかかるという問題があり、一方で直接油圧式エレベータでは、施工後のメンテナンス時にはエレベータかごに乗って昇降することで、エレベータ昇降路内の点検を行なうため、安全用親綱はエレベータ施工時にのみ必要と考えらえているので、常設までは必要が無いと考えられている。
【特許文献１】特開２００１−１５３１２４号公報
【発明の開示】
【発明が解決しようとする課題】
【０００７】
本発明は上記の従来の問題点に鑑みて発明したものであって、エレベータ施工業者側において親綱を支持するための親綱支持治具を簡単に建物に取付けることができ、また、エレベータ設置工事終了後には簡単に取外してエレベータかごの昇降の邪魔にならないエレベータ据え付け工事における親綱の保持構造を提供することを課題とするものである。
【課題を解決するための手段】
【０００８】
上記課題を解決するために本発明に係るエレベータ据え付け工事における親綱の保持構造は、エレベータ乗り場１に設けたエレベータ昇降路２に連通する乗り場開口部３にエレベータ乗り場１側から架け渡される棒材４と、該棒材４にエレベータ昇降路２側から突出量変更可能に設けられたねじ体５と、ねじ体５から垂設された挟持部６とを有する親綱支持治具７であって、ねじ体５の突出量を減じて棒材４と挟持部６とで乗り場開口部３を挟持することで親綱支持治具７を乗り場開口部３に固定し、親綱支持治具７にエレベータ昇降路２内に垂下される作業者の安全索を取付ける親綱８を支持して成ることを特徴とするものである。
【０００９】
このような構成とすることで、ねじ体５の突出量を減じることで乗り場開口部３をエレベータ乗り場１側と棒材４と挟持部６とで内外から挟持するという簡単な構成で親綱支持治具７を乗り場開口部３に固定することができ、エレベータ施工業者側において簡単に親綱を保持するための親綱支持治具７の取付けができ、しかも、エレベータ昇降路２の頂部に建物梁や天井が無くてもエレベータ乗り場１には必ず設けられる乗り場開口部３を利用して親綱支持治具７の取付けが容易にできるものであり、また、エレベータ設置作業の終了後にはねじ体５を緩めることで、親綱支持治具７を乗り場開口部３から簡単に取外すことができて、施工後におけるエレベータかごの昇降の邪魔になることがない。
【発明の効果】
【００１０】
本発明は、エレベータ昇降路の頂部に建物梁や天井がなくても、乗り場開口部を有効利用してエレベータ設置時にエレベータ施工業者側において親綱を支持するための親綱支持治具を簡単に建物に取付けることができ、また、エレベータ設置工事終了後には簡単に取外してエレベータかごの昇降の邪魔にならないようにできる。
【発明を実施するための最良の形態】
【００１１】
以下、本発明を添付図面に示す実施形態に基いて説明する。
【００１２】
図１には本発明に係る親綱支持治具７の斜視図が示してある。親綱支持治具７は、金属製の角パイプのような棒材４と、棒材４に突出量可変自在に取付けられるねじ体５と、ねじ体５から垂設された挟持部６とで構成してある。
【００１３】
棒材４の長手方向には複数箇所（実施形態では３箇所以上）に孔９が設けてあり、上記複数の孔９のうち任意の複数箇所の孔９に２つ以上のねじ体５が突出量可変自在に取付けられる。このように複数の孔９のうち任意の複数箇所の孔９に２つ以上のねじ体５を選択的に取付けることで、後述の乗り場開口部３の開口巾に応じてねじ体５の取付け位置の調整ができる。
【００１４】
ねじ体５は外周に雄ねじを刻設したねじ軸部１０の先端部に環状をした親綱支持部１１を設け、更に、ねじ軸部１０の先端部の親綱支持部１１の突出基部に挟持部６の上部をナット１２により固定してある。挟持部６は、ねじ軸部１０に挿入する孔（図示せず）を有する固定縦片１３の下端部から親綱支持部１１の突出方向に突出した水平片１４を一体に突出し、更に、水平片１４の先端から下方に下垂下片１５を一体に垂設して構成してある。
【００１５】
そして、ねじ体５のねじ軸部１０を任意の孔９に挿入し、ナット１６を締付けて固定するのであるが、この場合、ナット１６の締付け位置を調整することで、棒材４からのねじ体５を突出量を可変することができるようになっている。
【００１６】
上記の構成の親綱支持治具７はエレベータ施工業者がエレベータ設置工事を行なう際に使用する。
【００１７】
すなわち、エレベータ設置工事を行なう前に建物施工業者により建物の躯体工事を行なう際、エレベータ昇降路２となる空間と、各階に廊下のようなエレベータ乗り場１が形成され、エレベータ乗り場１の空間とエレベータ昇降路２とを連通する乗り場開口部３が形成される。上記建物の躯体工事において乗り場開口部３は、通常、エレベータ昇降路２の四隅に立設される柱１７のうちエレベータ乗り場１側の一対の柱１７間に架設される上下の梁材１８間に乗り場開口部３の両側に位置する部位に柱材１９を立設することで構成される。
【００１８】
建物施工業者による建物躯体工事の施工後、建物施工業者による内装工事の施工前に、エレベータ施工業者によりエレベータ昇降路２内にエレベータ設置工事を行なう。
【００１９】
このエレベータ施工業者によるエレベータ設置工事に当たり、まず、上記親綱支持治具７を最上階のエレベータ乗り場１に設けられる乗り場開口部３に取付ける。
【００２０】
親綱支持治具７の取付けに当たっては、ナット１６を緩めて棒材４からのねじ体５の突出量を長く突出させた状態で、乗り場開口部３にエレベータ乗り場１側から棒材４を架け渡すと共に、ねじ体５の先端部を乗り場開口部３からエレベータ昇降路２内に突出させる。ここで、棒材４は乗り場開口部３の両側に設けられる乗り場開口部３の骨組み部材である一対の柱材１９又は一対の柱１７のエレベータ乗り場１側の面に当接するように架け渡す。図４の実線では棒材４を一対の柱材１９に当接させている例を示しているが、これに加えて、図４の破線のように棒材４の両端部を構造材である一対の柱１７に当接させてもよい。これにより取付け強度がより向上する。また、ねじ体５の先端部に垂設した挟持部６の水平片１４を乗り場開口部３の下の部材となる梁材１８の上面に設置すると共に下垂下片１５を梁材１８の側面に対向させる。この状態でナット１６を締め付けてねじ体５の突出量を減じることで図２、図３に示すように下垂下片１５を梁材１８の側面に押し付けて棒材４と挟持部６とで、乗り場開口部３の骨組み部材である柱材１９又は柱１７と、梁材１８とに挟持することで親綱支持治具７を乗り場開口部３の骨組み部材に固定する。
【００２１】
このように親綱支持治具７を乗り場開口部３の骨組み部材に固定した状態で、ねじ体５の先端に設けられてエレベータ昇降路２内に突出している親綱支持部１１に親綱８を取付けて支持させ、親綱８をエレベータ昇降路２内に垂らし、親綱８に作業者の安全索を締結する。ここで、作業者の安全索としては従来から一般に使用されたものを用いることができるが、例えば、一端が作業者側のベルトなどに係止するフックを設け、他端に親綱に提携する締結具を設けたものを使用することができる。勿論これにのみ限定されない。
【００２２】
上記のようにしてエレベータ施工業者の安全性を確保しながらエレベータ昇降路２内においてエレベータの諸設備の据え付け工事を行なう。この場合、エレベータとしてはエレベータ昇降路２の底部に油圧ジャッキを据え、これによりエレベータかごを直接昇降する直接油圧式エレベータであってもよく、また、ロープ吊り式エレベータであってもよい。
【００２３】
エレベータの据え付け工事が終了すると、ナット１６を緩めることで親綱支持治具７の乗り場開口部３の骨組みへの固定を解除して取外すと共に、親綱支持部１１から親綱８を取リ外す。この作業はエレベータ施工業者が行なう。その後、建物作業業者により、建物の内装工事等が行なわれる。この場合、エレベータ乗り場１には床が形成され、また、乗り場開口部３には上記骨組みの外面に壁材が貼られて壁が形成される。
【図面の簡単な説明】
【００２４】
【図１】本発明の親綱支持治具の分解斜視図である。
【図２】親綱支持治具の取付け状態を示す概略斜視図である。
【図３】同上の拡大斜視図である。
【図４】同上の平面図である。
【符号の説明】
【００２５】
１  エレベータ乗り場
２  エレベータ昇降路
３  乗り場開口部
４  棒材
５  ねじ体
６  挟持部
７  親綱支持治具
８  親綱
【図１】
2007169011.tif 000003
【図２】
2007169011.tif 000004
【図３】
2007169011.tif 000005
【図４】
2007169011.tif 000006